(57)【要約】      （修正有）【課題】複合サッシの他の構成材と無関係に、しかも、現場の状況如何に係らず、屋内側框構成材を屋外側框構成材に着脱ができる。【解決手段】屋内側框構成材２と、該屋内側框構成材２の屋外側面２ａに重合する屋外側框構成材１で成る、障子の複合縦框に係る。該縦框のガラスパネル等のパネル受入溝４を備えた前記屋外側框構成材１の屋内側面１ａに、前記パネル受入溝４側の内端側に接続片７を、前内端に相対する外端側に係合片５をそれぞれ配して突設する。そして、横框側の屋内側框構成材と印ろう接合する前記屋内側框構成材２の屋外側面２ａに、前記係合片５で成る、前記接続片７側開口の受入溝６に係合する係止片８と、前記接続片７と見付け方向に重合させて該接続片７と前記内端側からねじ１６で止着する取付片９を見付け方向に並べて突設する。【選択図】図１
2008127742.tif 000002
【特許請求の範囲】
【請求項１】
屋内側框構成材と、該屋内側框構成材の屋外側面に重合する屋外側框構成材で成る、障子の複合縦框において、ガラスパネル等のパネル受入溝を備えた前記屋外側框構成材の屋内側面に、前記パネル受入溝側の内端側に接続片を、前内端に相対する外端側に係合片をそれぞれ配して突設すると共に、横框側の屋内側框構成材と印ろう接合する前記屋内側框構成材の屋外側面に、前記係合片で成る、前記接続片側開口の受入溝に係合する係止片と、前記接続片と見付け方向に重合させて該接続片と前記内端側からねじで止着する取付片を見付け方向に並べて突設した、障子の複合縦框における屋内外構成材の組立て装置。
【発明の詳細な説明】
【技術分野】
【０００１】
本発明は、概し、アルミ押出し形材で成る屋外側框構成材の屋内側に、断熱効果を図るために、樹脂剤や木材で成る屋内側框構成材を配して構成した複合サッシの障子框組体を構成する複合縦框の屋内外構成材の組付け装置に関するものである。
【背景技術】
【０００２】
断熱効果を意図する複合框の構成態様としてアルミ材を屋外側框成材とし、該構成材の屋内側に木材や樹脂製の屋内側框構成材を配して、アルミ材が屋内側に露出することを避けるようにした構造のものは具体例を挙げるまでもなく知られているところであるが、該複合框を組立てるには金属（アルミ）材で成る屋外側框構成材にガラスパネルの係合溝部に配したねじで止着したアタッチメントを用いて前記屋外側框構成材に屋内側框構成材を止着するようにした構造のものがある（例えば、特許文献１）
【特許文献１】特開２００４−３００７６７号公報
【発明の開示】
【発明が解決しようとする課題】
【０００３】
前記従来例は、ガラスパネルの係合溝部に配したねじを緩めなければ、屋内外の框構成材を分離することができない構造になっているため、屋外側框構成材から屋内側框構成材を分離する必要が生じたとき（屋内側框構成材を木材で構成した場合、意匠的変化を求めたり、損傷を受けたりして取り替える場合がある）、当該屋内側框構成材のみの分離に留まらず、全体を分解してその作業を行う必要があり、煩雑である。そして、何よりも、現場での組立てが困難であるから、工場出荷時から両材を組立て状態で扱わなければならないため、搬送時や現場での施工時に屋内側框構成材が損傷を受け易く、必要以上の注意を払わなければならず、各作業がその分煩雑となる。
【０００４】
本発明は、従来例の斯様な欠点に着目し、複合サッシの他の構成材と無関係に、しかも、現場の状況如何に係らず、屋内側框構成材を屋外側框構成材に着脱できる障子の複合縦框における屋内外構成材の組立て装置を提供することを目的として創案したものである。
【課題を解決するための手段】
【０００５】
屋内側框構成材と、該屋内側框構成材の屋外側面に重合する屋外側框構成材で成る、障子の複合縦框において、ガラスパネル等のパネル受入溝を備えた前記屋外側框構成材の屋内側面に、前記パネル受入溝側の内端側に接続片を、前内端に相対する外端側に係合片をそれぞれ配して突設すると共に、横框側の屋内側框構成材と印ろう接合する前記屋内側框構成材の屋外側面に、前記係合片で成る、前記接続片側開口の受入溝に係合する係止片と、前記接続片と見付け方向に重合させて該接続片と前記内端側からねじで止着する取付片を見付け方向に並べて突設した、構成としたものである。
【発明の効果】
【０００６】
本発明によれば、屋内外框構成材の組立てを簡単に行うことができ、従って、複合縦框を容易に得られる。また、屋内側框構成材を屋外側框構成材に他のサッシ構成材と無関係に組付けることができるから、ＦＩＸサッシやすべり出しサッシ等の複合縦框に適用するに好適である。すなわち、屋外側框構成材に設けた受入溝に対して屋内側框構成材に設けた係止片を屋外側框構成材の内側から外側方向に押し込むようにして係合して、接続片と取付片を前記内端側からねじ止めして屋内外の框構成材を組立てられる構成を採るものであるから、サッシ枠に当該障子体を組付けたまま、すなわち、サッシ枠を建屋に建込んだままの状態で屋内側から前記障子体の屋外側框構成材に屋内側框構成材を組付けて、複合縦框を組立てることができ、すべり出しサッシ等の現場施工に危険性を回避した（屋内側から身をのり出す必要がなく組立てられるという意味で）、好適な組立て装置を提供できるものである。
【実施例】
【０００７】
図面は、本発明に係る障子の複合縦框における屋内外構成材の組立て装置の一実施例を示し、図１は本発明要部の横断面図、図２は障子の一部の斜視図、図３は縦すべり出し窓の略示正面図である。
【０００８】
図示のものは、たてすべり出し窓の縦框に本発明を適用したもので、縦框（複合框）Ａはアルミ押出し形材で成る屋外側框構成材１と木材（合成樹脂材でも良い）で成る屋内側框構成材２を互いに組付けて構成したものである。
【０００９】
屋外側框構成材１は、中空方形筒状主体３の見付け方向の一端（縦框Ａの内端）にガラスパネル等のパネル受入溝４を設け、前記中空方形筒状主体３の屋内側部片３ａと前記パネル受入溝４の屋内側構成部片４ａとで構成する屋内側面１ａの前記屋内側部片３ａ部、すなわち、縦框Ａ（屋外側框構成材１）の外端側には、屋内方向に突出し、突出部片５ａと該突出部片５ａの先端に直角方向に屈曲状にして連設した屈曲部片５ｂとで成る断面Ｌ字形部を備えた係合片５を突設して、縦框Ａ（屋外側框構成材１）の前記外端に対応する内端側を開口状にした受入溝６を設け、また、前記屋内側面１ａの前記屋内側構成部片４ａ部、すなわち、縦框Ａ（屋外側框構成材１）の前記内端側には前記係合片５と見付け方向に並んで相対する断面平板状の接続片７を突設して構成したものである。
【００１０】
前記屋内側框構成材２は、木製平板体で成り、その屋外側面２ａには係止片８と取付片９を見付け方向に並べて突設したものである。
【００１１】
係止片８は、断面平板状の止着部８ａの一端に断面ほぼＬ字状の係止部８ｂを前記屋外側面２ａに対して直角方向に突設し、また、該係止部８ｂの先部の中間位置にスペーサ部８ｃを前記屋外側面２ａに対して直角方向に突設して構成し、止着部８ａを屋内側框構成材２の屋外側面２ａに重ね合わせてねじ１０で止着し、屋内側框構成材２の外端において、しかも、屋外側框構成材１に備えた前記係合片５（受入溝６）との対応位置にして設けたものである。
【００１２】
取付片９は、断面平板状の基板９ａの屋外側面の中間部に断面Ｌ字状の取付け部９ｂを突設して、前記受入溝６と同方向側を開口した溝１１を設け、該溝１１にカバー片１３の部片１３ａ，１３ａを嵌合係止するようにして構成し、基板９ａをねじ１０Ａを貫通させ
て屋内側構成材２にねじ１０と同様に螺入させて締付け、屋外側構成材１の前記接続片７に対応させて設けたものである。
【００１３】
本発明を適用した縦框Ａを構成材とする障子Ｓは、一対の当該縦框Ａ，Ａおよび上、下框Ｂ，Ｂ´のそれぞれの屋外側框構成材１，１、１Ａ，１Ａ´を互いに組付けて框組体を得、該框組体の、上、下框Ｂ，Ｂ´の前記屋外側框構成材１Ａ，１Ａ´部に組付け手段によって、該屋外側框構成材１Ａ又は１Ａ´とで前記上、下Ｂ，Ｂ´を構成する屋内側框構成材２Ａ，２Ａ´を屋内側から組付け、次いで、縦框Ａを構成する前記屋内側框構成材２を、前記框組体に組付けた、上、下框Ｂ，Ｂ´の屋内側框構成材２Ａ，２Ａ´とは印ろう接合の関係にして、屋外側框構成材１にそれぞれ組付けて構成するのである。
【００１４】
屋外側框構成材１に対して屋内側框構成材２を組付けるには、屋外側框構成材１に突設した係合片５で構成する受入溝６に、屋内側框構成材２の屋外面側に突設した係止片８の係止部８ｂを押込む（嵌入させる）ようにして該屋内側構成材２の内端側（すなわち、取付片９側）を、屋外側構成材１方向に移動すると、屋内側框構成材２は、係止片８側が軸となって回動し、係止片８のスペーサ部８ｃが屋外側框構成材１の屋内側面に接する一方、取付片９が屋外側框構成材１に接続片７に見付け方向（内外端方向）に合い、内端側から固定ねじ１６を取付片９を通じて接続片７に螺入、締付けることによって行われる。
【００１５】
そして、図示の場合は、たてすべり出し窓の縦框に本発明を適用しており、屋内側框構成材２を障子Ｓの面内から面外へ（内側から外側へ）移動させるようにして屋外側框構成材１に組合わせて複合縦框を得るものであるから、当該障子を組付けた窓（サッシ）枠と無関係に行うことができ、また、ＦＩＸ形式のものにも適用できるものである。
【図面の簡単な説明】
【００１６】
【図１】本発明要部の横断面図。
【図２】障子の一部の斜視図。
【図３】縦すべり出し窓の略示正面図。
【符号の説明】
【００１７】
１      屋外側框構成材
１ａ    屋内側面
２      屋内側框構成材
２ａ    屋外側面
４      パネル受入溝
５      係合片
７      接続片
８      係止片
９      取付片
１６    ねじ
【図１】
2008127742.tif 000003
【図２】
2008127742.tif 000004
【図３】
2008127742.tif 000005